(57)【要約】【課題】点火ボタンを指で押し下げることが困難な身体弱者であっても、容易にライターを点火させることが可能なライター点火補助具を提供する。【解決手段】前面91と後面92と左右側面93，93と底面94とを有する縦長状のライター９に取着可能なライター点火補助具であって、ライター９の前面91と左右側面93，93と底面94とを包囲する縦長状ケース部材１と、ケース部材１の左右側壁13，13の上前方角部13ｄに揺動自在に枢支された横断面コの字状の揺動レバー２と、ライター９の点火ボタン99の上方位置に配設される押圧部39を有すると共にケース部材１に上下スライド自在に取着された門型スライド部材３と、を備え、門型スライド部材３と揺動レバー２を連結して、ケース部材１と揺動レバー２を片手にて握って引き寄せることにより、揺動レバー２が閉揺動し、揺動レバー２の閉揺動によって門型スライド部材３を倍力しつつ下方へスライドさせて、押圧部39が点火ボタン99を押圧して点火するように構成した。【選択図】図４
2014219177.tif 000002
【特許請求の範囲】
【請求項１】
前面（91）と後面（92）と左右側面（93）（93）と底面（94）とを有する縦長状のライター（９）に取着可能なライター点火補助具であって、
上記ライター（９）の上記前面（91）と上記左右側面（93）（93）と上記底面（94）とを包囲する縦長状ケース部材（１）と、該ケース部材（１）の左右側壁（13）（13）の上前方角部（13ｄ）に揺動自在に枢支された横断面コの字状の揺動レバー（２）と、上記ライター（９）の点火ボタン（99）の上方位置に配設される押圧部（39）を有すると共に上記ケース部材（１）に上下スライド自在に取着された門型スライド部材（３）と、を備え、
上記門型スライド部材（３）と上記揺動レバー（２）を連結して、上記ケース部材（１）と上記揺動レバー（２）を片手にて握って引き寄せることにより、上記揺動レバー（２）が閉揺動し、該揺動レバー（２）の閉揺動によって上記門型スライド部材（３）を倍力しつつ下方へスライドさせて、上記押圧部（39）が上記点火ボタン（99）を押圧して点火するように構成したことを特徴とするライター点火補助具。
【請求項２】
上記ケース部材（１）は、上記上前方角部（13ｄ）に、上部前傾斜部（17ａ）と水平部（17ｂ）とを有するＬ字状のガイド孔部（17）が形成され、
上記門型スライド部材（３）は、左右側壁（33）（33）に、後方に開口する水平状の係止凹部（38）を有し、
上記揺動レバー（２）は、左右側壁（23）（23）に、上記ガイド孔部（17）に枢支される枢支軸部（27）と、上記係止凹部（38）に係脱自在な連結用の係止凸部（28）と、を有し、
上記揺動レバー（２）を後方へ引くことにより、上記枢支軸部（27）が上記ガイド孔部（17）の上記水平部（17ｂ）の後端部（17ｅ）に移動すると共に上記係止凸部（28）が上記係止凹部（38）から離脱して、上記門型スライド部材（３）を下方へスライドさせずに、上記揺動レバー（２）を閉揺動可能とした請求項１記載のライター点火補助具。
【発明の詳細な説明】
【技術分野】
【０００１】
本発明は、ライター点火補助具に関する。
【背景技術】
【０００２】
喫煙や線香、蝋燭や焚き火用等のライター（着火具）は、子供等が興味本意に触っても容易に点火しないように構成されたもの、いわゆる、チャイルドレジスタンス規制に対応したものがある（例えば、特許文献１参照）。
このようなチャイルドレジスタンス機構（機能）付きのライターには、点火ボタンを、弾発付勢部材によって、子供が指で簡単に押し下げられないように固く（重く）して、容易に点火できないようにしたものがある。
【先行技術文献】
【特許文献】
【０００３】
【特許文献１】特開２０１１−２４７４７０号公報
【発明の概要】
【発明が解決しようとする課題】
【０００４】
しかし、指で押し下げる力の弱い高齢者等の身体弱者は、線香や蝋燭等へ着火を行なう際に、容易にライターを点火できないといった問題があった。
そこで、本発明は、点火ボタンを指で押し下げることが困難な身体弱者であっても、容易にライターを点火させることが可能なライター点火補助具の提供を目的とする。
【課題を解決するための手段】
【０００５】
上記目的を達成するために、本発明のライター点火補助具は、前面と後面と左右側面と底面とを有する縦長状のライターに取着可能なライター点火補助具であって、上記ライターの上記前面と上記左右側面と上記底面とを包囲する縦長状ケース部材と、該ケース部材の左右側壁の上前方角部に揺動自在に枢支された横断面コの字状の揺動レバーと、上記ライターの点火ボタンの上方位置に配設される押圧部を有すると共に上記ケース部材に上下スライド自在に取着された門型スライド部材と、を備え、上記門型スライド部材と上記揺動レバーを連結して、上記ケース部材と上記揺動レバーを片手にて握って引き寄せることにより、上記揺動レバーが閉揺動し、該揺動レバーの閉揺動によって上記門型スライド部材を倍力しつつ下方へスライドさせて、上記押圧部が上記点火ボタンを押圧して点火するように構成したものである。
【０００６】
また、上記ケース部材は、上記上前方角部に、上部前傾斜部と水平部とを有するＬ字状のガイド孔部が形成され、上記門型スライド部材は、左右側壁に、後方に開口する水平状の係止凹部を有し、上記揺動レバーは、左右側壁に、上記ガイド孔部に枢支される枢支軸部と、上記係止凹部に係脱自在な連結用の係止凸部と、を有し、上記揺動レバーを後方へ引くことにより、上記枢支軸部が上記ガイド孔部の上記水平部の後端部に移動すると共に上記係止凸部が上記係止凹部から離脱して、上記門型スライド部材を下方へスライドさせずに、上記揺動レバーを閉揺動可能としたものである。
【発明の効果】
【０００７】
本発明によれば、ライターの点火ボタンを指で直接的に押す力よりも、大きな力をもって、点火ボタンを操作できる。テコの原理を利用して、容易に点火できる。ケース部材からのライターの離脱や落下を防止できる。
【図面の簡単な説明】
【０００８】
【図１】本発明の実施の一形態の側面図である。
【図２】平面図である。
【図３】要部断面背面図である。
【図４】点火揺動可能状態の側面図である。
【図５】点火状態の側面図である。
【図６】要部拡大側面図である。
【図７】要部拡大側面図である。
【発明を実施するための形態】
【０００９】
以下、図示の実施形態に基づき本発明を詳説する。
本発明に係るライター点火補助具は、図１と図２に示すように、点火口90を上部前方に有すると共に点火ボタン99を上部後方に有するライター９に取着可能なものであって、ライター９の前面91と左右側面93，93と底面94を包囲する横断面コの字状の樹脂製の縦長状ケース部材１と、ケース部材１の左右側壁13，13の上前方角部13ｄに揺動自在に枢支される横断面コの字状の樹脂製の揺動レバー２と、点火ボタン99の上方位置に配設される押圧部39を有すると共にケース部材１に上下スライド自在に取着された樹脂製の門型スライド部材３と、を備えている。
平面視で、ケース部材１の左右側壁13，13の前部に内嵌状に揺動レバー２が枢支され、ケース部材１の左右側壁13，13の後部と揺動レバー２の左右側壁23，23の間に、門型スライド部材３の左右側壁33，33が配設されケース部材１に取着している。
【００１０】
ケース部材１は、ライター９への装着（取付）状態において、ライター９の前面91を包囲する前壁11と、ライター９の底面94を包囲する（下方から支持する）底壁14と、ライター９の左右側面93，93を包囲する左右側壁13，13と、を有している。また、上方開口状に形成されると共に、後方開口型の横断面コの字状に形成されている。
【００１１】
ケース部材１は、左右側壁13，13の上前方角部13ｄに、揺動レバー２の左右側壁23，23の上前方部から左右外方に突出する短円柱状の枢支軸部27，27が、差し込まれるガイド孔部17，17を有している。
ガイド孔部17は、上部前傾斜部17ａと水平部17ｂとを有するＬ字状に形成されている。
水平部17ｂの後端部17ｅは、下部に、枢支軸部27の座りを良くする（落ち込む）位置決め用の（側面視）円弧状縁部17ｆを有し、上部に、枢支軸部27を円弧状縁部17ｆに誘導する後方下傾状縁部17ｄを有している。
また、ガイド孔部17の上部前傾斜部17ａの上前縁部（上前端部）17ｃは、枢支軸部27が配設された際に、面状に摺接可能な（側面視）円弧状に形成されている。
【００１２】
また、ケース部材１は、左右側壁13，13の後縁部近傍に、門型スライド部材３の左右側壁33，33から左右外方へ突出する短円柱状の上下スライド用凸部36，36が、差し込まれる上下スライドガイド用の縦長孔部16，16を有している。
門型スライド部材３の各側壁33にスライド用凸部36を上下一対設けると共に、ケース部材１の各側壁13に縦長孔部16を上下一対設けて、スライド部材３が前後に倒れることなくスムーズに上下スライド可能としている。
【００１３】
揺動レバー２は、上方開口状に形成されると共に、横断面が前方開口型のコの字状に形成され、後壁22と、左右側壁23，23と、枢支軸部27と、左右側壁23，23の上後方角部に左右外方へ突出する短円柱状の係止凸部28，28と、を有している。
【００１４】
門型スライド部材３は、左右側壁33，33と、スライド用凸部36，36と、左右側壁33，33の上部を連結する上壁部31と、を有している。
また、左右側壁33，33において、上側のスライド用凸部36よりも上方位置に、後方に開口すると共に左右内方に開口する水平切欠状の係止凹部38，38を有している。
図１に於て二点鎖線で示すように、揺動レバー２の枢支軸部27がガイド孔部17の後端部17ｅにて枢支されている状態で、揺動レバー２が後方へ揺動した開揺動の際に、係止凸部28が、係止凹部38の後方開口部38ａ近傍に配置されるように、係止凹部38及び係止凸部28を設けている。
【００１５】
また、図３に示すように、上壁部31は、点火ボタン99の上方位置に配設される水平面状の押圧面39ａを有する押圧部39と、押圧面39ａの左右側縁部から下方へ向かって左右外方へ傾斜する左右一対のセンタリング用の勾配面35ａ，35ａを有する傾斜壁部35，35と、を有している。
左右一対の勾配面35ａ，35ａは、背面視（正面視）で、下方拡大型のハの字形状に配設され、門型スライド部材３が降下する際に、ライター９（の点火ボタン99）の左右方向中心線Ｌ９を、門型スライド部材３（の押圧部39）の左右方向中心線Ｌ３に一致させる。
【００１６】
ライター９は、縦細状の薄い直方体型に形成され、点火ボタン99を弾発付勢部材等によって、子供等が指で簡単に押し下げて点火できないように固く（重く）したものである。つまり、子供等が興味本意やイタズラ等で触っても、或いは、不用意に点火ボタン99に手や物が当たっても、容易に点火しないように構成された、チャイルドレジスタンス機構（ＣＲ機構）を有するものである。
【００１７】
次に、本発明のライター点火補助具の使用方法（作動）について説明する。
図１と図２に示すように、ガイド孔部17の後端部17ｅに枢支軸部27が枢支され、揺動レバー２が閉じている持ち運び状態では、揺動レバー２の後壁22がライター９の後面92を包囲して、ケース部材１の後方開口部からライター９が脱落するのを防いでいる。つまり、ケース部材１と揺動レバー２とでコンパクトな直方体箱型保護ケーシングを形成する。
【００１８】
また、門型スライド部材３の押圧部39が、ライター９の上方に位置し（点火ボタン99はチャイルドロック機構により門型スライド部材３の自重で下がらない）、ケース部材１からライター９を上方へ持ち上げても、門型スライド部材３のスライド用凸部36が、ケース部材１の縦長孔部16の上縁部に当接し、上方へのスライドが阻止された門型スライド部材３によって、ライター９の上方の抜けを阻止する。つまり、子供がライター９を容易に引き抜けないようにしていると共に、上下逆にしてカバンやポケット等に収納した際に、ライター９がケース部材１から脱落するのを防止する。
【００１９】
ライター９を点火させる際は、図１に二点鎖線で示すように、揺動レバー２を後上方へ引き上げるように開揺動させる。そして、係止凸部28が係止凹部38の後方開口部38ａに接近した位置で、揺動レバー２を前方へ水平移動させる。すると、図６に示すように揺動レバー２の係止凸部28が、係止凹部38の後方開口部38ａ近傍から、二点鎖線で示すように係止凹部38内に差し込まれると共に、図７に示すように、枢支軸部27が、水平部17ｂの後端部17ｅから、二点鎖線で示すように前方へ移動する。さらに、図４に示すように、係止凹部38に支持された係止凸部28を支点として、揺動レバー２は自重によって、僅かに、前方閉揺動し、枢支軸部27が、ガイド孔部17の上部前傾斜部17ａに沿って、僅かに前上方へ移動し、上前縁部17ｃに当接して停止し、点火揺動可能（点火準備）状態となる。
【００２０】
つまり、点火揺動可能状態は、揺動レバー２の枢支軸部27がガイド孔部17の上前縁部17ｃに当接して上方及び前方への移動が阻止されて枢支され、揺動レバー２の係止凸部28が門型スライド部材３の係止凹部38に係合して、揺動レバー２と門型スライド部材３が連結した状態である。
【００２１】
そして、図４の状態から、ケース部材１及び揺動レバー２が、身体弱者等の使用者に片手で握られると、揺動レバー２とケース部材１が相互に接近するように引き寄せられ、揺動レバー２が前方へ閉揺動する。その閉揺動によって、係合凸部28が、枢支軸部27を中心として下方へ周回移動（公転）し、門型スライド部材３を降下させて、図５に示すように、門型スライド部材３の押圧部39が点火ボタン99を押圧して点火状態となる。
【００２２】
つまり、側面視で、枢支軸部27とガイド孔部17の上前縁部17ｃの当接位置（支点Ｓ）から、係止凸部28と係止凹部38の当接位置（作用点Ｑ）までの距離よりも、揺動レバー２の後壁22の中央位置（力点Ｐ）までの距離を長く設けて、テコの原理により、係止凸部28が握力よりも大きな力をもって門型スライド部材３を倍力しつつ下方へスライドさせ、点火ボタン99を押圧するように構成している。
【００２３】
図５の点火状態から、消火する場合は、ケース部材１と揺動レバー２の把持（握力）を弱めれば、点火ボタン99の戻りの（上方への）弾発付勢力によって、門型スライド部材３が上方へスライドし、係止凹部38によって揺動レバー２の係止凸部28が押し上げられて、揺動レバー２が開揺動し、図４の状態に戻る。ライター９の点火ボタン戻し用弾発部材を利用し、ケース部材１と揺動レバー２の間に、レバー戻し用弾発部材を設けず、部品点数を少なくし、小型かつ軽量に構成している。
【００２４】
また、ライター９の使用が終了して、カバンやポケット等に収納する際は、図４の状態から揺動レバー２を後方へ引くことにより、枢支軸部27が上部前傾斜部17ａに沿って水平部17ｂ側へ移動し、さらに、図１に二点鎖線で示すように、枢支軸部27がガイド孔部17の後端部17ｅに移動して枢支されると共に、係止凸部28が係止凹部38の後方開口部38ａから後方へ飛び出して離脱し、門型スライド部材３を下方へスライドさせずに閉揺動可能な安全揺動可能状態となり、揺動レバー２が自重にて下方へ揺動して、図１に実線及び破線で示すように、揺動レバー２の左右側壁13，13の前後方向寸法の半分以上がケース部材１に収納されたコンパクトな持ち運び状態となる。
【００２５】
つまり、ガイド孔部17によって、揺動レバー２の枢支位置を前後方向にスライド自在とし、枢支軸部27の前後スライド移動に伴って、係止凹部38に対して係止凸部28を係脱可能（自在）に構成したことで、揺動レバー２とスライド部材３を連結状態と連結解除状態に切り換えて、点火揺動可能状態と、安全揺動可能状態とに切換自在としている。
【００２６】
また、ライター９をケース部材１から取り外す際は、安全揺動可能状態（図１の二点鎖線参照）から、揺動レバー２をさらに後上方へ開揺動させると、スライド部材３の係止凹部38の後方開口部38ａの近傍に設けた上方スライド用当り部37に、係止凸部28が当接し、門型スライド部材３を上方へスライドさせ、押圧部39と点火ボタン99の間に逃がし空間を形成する。また、ケース部材１の下部と揺動レバー２の下部の間が、安全揺動可能状態（図１の二点鎖線の姿勢）よりも大きく開く。
そして、ケース部材１の前壁11の下部及び底壁14の前部を貫通する側面視Ｌ字状の押出窓部19を介して指等でケース部材１内のライター９の前下角部を押圧することで、ライター９を上部前倒れ状に尻振りさせて、ケース部材１の下部と揺動レバー２の下部の間から引き抜くことで取り外せる。
【００２７】
また、ケース部材１にライター９を装着させる際は、揺動レバー２を開揺動して、係止凸部28を上方スライド用当り部37に当接させて門型スライド部材３を上方へスライドさせ、ケース部材１の下部と揺動レバー２の下部の間から、ライター９を斜め上方へ向かって差し込むように挿入し、その後、ライター９の下部を前方へ振って、ケース部材１内に収納する。
このように、開揺動によってスライド部材３を上方へ逃がすので、ケース部材１に対してライター９を着脱する際に、ライター９の上部と押圧部39の干渉を防止でき、スムーズかつ容易に着脱作業を行える。
【００２８】
また、図１に示すように、持ち運び（携帯）状態で不用意に揺動レバー２が開揺動しないようにするロック機構７を具備している。ロック機構７は、ケース部材１の左右側壁13，13の下部に形成されたロック孔部71と、揺動レバー２の左右側壁23，23の下前部から左右外方へ突出すると共にロック孔部71に係脱自在なロック凸部72と、から成る。持ち運び状態でロック凸部72が弾性変形してロック孔部71に嵌まり込むことで開揺動を阻止する。また、使用者が揺動レバー２を意図的に操作する際は、容易にロック孔部71からロック凸部72が離脱するように設けている。
【００２９】
また、揺動レバー２は、左右側壁23，23の下後部に、左右外方へ突出する縦長凸条の揺動操作用凸部29，29（図２に於て図示省略）を、有している。揺動操作用凸部29は、揺動レバー２を指で摘むように把持して揺動操作を容易にするためのものである。
また、揺動レバー２の下端に、持ち運び状態で、ケース部材１の底壁14の後縁部に当接して揺動レバー２の前方水平移動や閉揺動を規制するストッパー部24を設けている。
また、係止凸部28を、持ち運び状態で、ケース部材１又は門型スライド部材３の後縁部に当接するように設けて、揺動レバー２の前方水平移動や閉揺動を規制している。
また、揺動レバー２の後壁22は、握力を付与しやすい（握り易い）横断面円弧状（三日月型）に形成されている。
【００３０】
また、ケース部材１は、前壁11の上部に、ライター９の前面91上部に設けられた図示省略の火力調整用操作部を露出させるための火力操作用窓部18を貫設している。
また、ケース部材１は、底壁14の後縁部に上方突出状の小凸部14ａを有している。小凸部14ａは、揺動レバー２を開揺動した際に、ケース部材１の後方開口部の下部から、ライター９の下部が滑り落ちるのを防止するものである。
【００３１】
また、ケース部材１は、図２に示すように、左右側壁13，13から左右内方に突出して、ライター９（の点火口90）の左右方向中心線Ｌ９を、ケース部材１の左右方向中心線Ｌ１に一致させるための左右一対のセンタリング用のガイド面（リブ状の突片）15，15を有している。左右一対のガイド面15，15は、平面視で、前方に向かうにつれてケース部材１の左右方向中心線Ｌ１に接近する前方縮小型（後方拡大型）のハの字形状に配設している。
ケース部材１のガイド面15，15、及び、スライド部材３の勾配面35ａ，35ａによって、様々な幅や厚みのライター９に容易に対応できる。また、門型スライド部材３によって、様々な高さ寸法のライター９に対応できる。
【００３２】
なお、本発明を容易に説明するために、図１に矢印Ｙで示す側を（方向）を「上」と呼び、矢印Ｘで示す側（方向）を「前」と呼んで、方向を説明している。
【００３３】
以上のように、本発明のライター点火補助具は、前面91と後面92と左右側面93，93と底面94とを有する縦長状のライター９に取着可能なライター点火補助具であって、ライター９の前面91と左右側面93，93と底面94とを包囲する縦長状ケース部材１と、ケース部材１の左右側壁13，13の上前方角部13ｄに揺動自在に枢支された横断面コの字状の揺動レバー２と、ライター９の点火ボタン99の上方位置に配設される押圧部39を有すると共にケース部材１に上下スライド自在に取着された門型スライド部材３と、を備え、門型スライド部材３と揺動レバー２を連結して、ケース部材１と揺動レバー２を片手にて握って引き寄せることにより、揺動レバー２が閉揺動し、揺動レバー２の閉揺動によって門型スライド部材３を倍力しつつ下方へスライドさせて、押圧部39が点火ボタン99を押圧して点火するように構成したので、ケース部材１と共に揺動レバー２を握ることで容易に点火できる。つまり、ライター９を把持して親指等で点火ボタン99を押し下げるのは、高齢者等の身体弱者は、指の筋力が弱く非常に困難であった。また、線香への着火の際に、点火ボタン99を押したまま保持することは困難であった。そこで、指の筋力による押し下げ力よりも強い力が発揮される握力を利用し、さらに、テコの原理を利用することで、点火ボタン99を容易に押し下げて点火が行なえるようにしている。また、指で点火ボタン99を押圧保持する場合に比べて、手を握った状態を保持する方が楽で疲れにくく、線香等への着火作業が容易に行なえるようにしている。また、ケース部材１と揺動レバー２でライター９を前後左右包囲する（挟む）と共に、ケース部材１とスライド部材３でライター９の上下の移動を規制して、ケース部材１からライター９が離脱や落下するのを防止している。また、点火ボタン99を鉛直下向きに押圧して容易に着火できる。特に、ライター９として、幅や厚さや高さが種々相違する多種多様なものに適用できて至便である。
【００３４】
また、ケース部材１は、上前方角部13ｄに、上部前傾斜部17ａと水平部17ｂとを有するＬ字状のガイド孔部17が形成され、門型スライド部材３は、左右側壁33，33に、後方に開口する水平状の係止凹部38を有し、揺動レバー２は、左右側壁23，23に、ガイド孔部17に枢支される枢支軸部27と、係止凹部38に係脱自在な連結用の係止凸部28と、を有し、揺動レバー２を後方へ引くことにより、枢支軸部27がガイド孔部17の水平部17ｂの後端部17ｅに移動すると共に係止凸部28が係止凹部38から離脱して、門型スライド部材３を下方へスライドさせずに、揺動レバー２を閉揺動可能としたので、カバンやポケット等に安全に収納できる。子供等がイタズラ等で点火するのを防止できる。複雑な部材やバネ等が必要なく簡素な構成で、点火揺動可能状態と安全揺動可能状態との切換を実現できる。
【符号の説明】
【００３５】
１  ケース部材
２  揺動レバー
３  門型スライド部材
９  ライター
13  左右側壁
13ｄ  上前方角部
17  ガイド孔部
17ａ  上部前傾斜部
17ｂ  水平部
17ｅ  後端部
23  左右側壁
27  枢支軸部
28  係止凸部
33  左右側壁
38  係止凹部
39  押圧部
91  前面
92  後面
93  左右側面
94  底面
99  点火ボタン
【図１】
2014219177.tif 000003
【図２】
2014219177.tif 000004
【図３】
2014219177.tif 000005
【図４】
2014219177.tif 000006
【図５】
2014219177.tif 000007
【図６】
2014219177.tif 000008
【図７】
2014219177.tif 000009